(57)【特許請求の範囲】
【請求項１】
アルカノールアミンを１〜２０重量％、炭素数１０〜１４の直鎖型第２級アルコールのエチレンオキシド付加物であって、エチレンオキシドの平均付加モル数が５〜１０である非イオン界面活性剤を１０〜３０重量％、炭素数１０〜１４の直鎖型第２級アルコールのエチレンオキシドおよびプロピレンオキシド付加物であって、エチレンオキシドの平均付加モル数が５〜９で、プロピレンオキシドの平均付加モル数が４〜８である非イオン界面活性剤を１〜２０重量％、炭素数６〜１２の脂肪族カルボン酸を１〜２０重量％及び水を含み、かつｐＨが６〜８．５である洗浄剤。
【発明の詳細な説明】
【０００１】
【発明の属する技術分野】
本発明は、金属、セラミックス、ガラス、プラスチック等の脱脂洗浄に用いる水系の洗浄剤に関する。
【０００２】
【従来の技術】
従来、金属、セラミックス、ガラス、プラスチック等の工業用の脱脂洗浄剤としては、アルカリ洗浄剤を代表とする水系洗浄剤、および１，１，１−トリクロロエタンを代表とする溶剤系洗浄剤が用いられている。
アルカリ洗浄剤は、ポリオキシエチレンアルキルフェニルエーテルを代表とする非イオン界面活性剤、アルキルベンゼンスルホン酸ナトリウムを代表とするアニオン界面活性剤等の界面活性剤、炭酸ナトリウム、ケイ酸ナトリウム、ホウ酸ナトリウム、リン酸ナトリウム、水酸化ナトリウム、水酸化カリウム等のアルカリ塩、トリポリリン酸ナトリウム、エチレンジアミンテトラ酢酸塩、ニトリロトリ酢酸塩、グルコン酸塩等のキレート剤、ベンゾトリアゾール、アミン類、アルカノールアミン類、亜硝酸ナトリウム等の防錆剤等を適宜配合したものである。その配合組成は、たとえば、辻薦著「精密洗浄技術」（工学図書刊）第１１７〜１２０頁、辻薦編著「精密洗浄技術マニュアル」（新技術開発センター刊）第５０〜５６頁に記載されているように、洗浄する物品、金属、汚れに応じて種々のものが提案されている。しかし、脱脂力、浸透力は、１，１，１−トリクロロエタン等の塩素系溶剤に比べて劣る為、実際の適用分野としては、簡単な構造を有する物品の洗浄や洗浄後の残存油分量をあまり気にしない分野が主体である。
【０００３】
一方、１，１，１−トリクロロエタン等の塩素系溶剤は、脱脂力、浸透力に優れ、切削油、引き抜き油、プレス油等あらゆる脱脂に適用でき、主として、複雑な構造を有する物品や、高い清浄度を要求する精密部品の洗浄分野で用いられている。
ところが、近年、塩素系溶剤による地下水汚染、大気汚染、オゾン層破壊等の環境問題が顕著に現れるようになり、産業界ではこれを代替するための洗浄剤として、従来の水系洗浄剤を適用しつつある。
【０００４】
しかしながら、従来の水系洗浄剤は、塩素系溶剤に比べ、脱脂力、浸透力が劣り、特に、切削油、引き抜き油や粘度の高いプレス油等が狭い隙間や細部に付着しているような場合や、部品表面のごく微量の残留油分量を問題にする場合に適用することが難しい。
脱脂力、浸透性を上げるためには、多量の低ＨＬＢの非イオン界面活性剤を使用して油乳化力を上げること、洗浄温度を高くして油の粘度を下げることが考えられる。しかし、多量の低ＨＬＢの非イオン界面活性剤の配合は、製品としての安定な液体状化を困難とし、かつ、洗浄温度が非イオン界面活性剤の曇点以上になると、浸透性、脱脂性が低下するため、洗浄温度を高くすることが制限される。
【０００５】
アニオン界面活性剤は、泡立ちが大きく、工業用の洗浄剤に使用するには問題がある。
また、脱脂力を高めるためにアルカリ塩を増量してｐＨを高めることが考えられるが、これも、製品として安定な液体状とすることを困難とし、さらに非鉄金属への影響、作業者への安全性の配慮から好ましくない。
【０００６】
安定な液体状とする方法としては、たとえば特開昭６０−１４４３９８号に示される様な、芳香族カルボン酸ナトリウムを使用する方法があるが、芳香族カルボン酸ナトリウムの代表として用いられるパラターシャリーブチル安息香酸ナトリウムは腎臓、肝臓に対する毒性が強いという問題がある。
【０００７】
【発明が解決しようとする課題】
本発明は、芳香族カルボン酸を含まず、安定な液体状で、曇点以上の温度においても脱脂力、浸透性に優れた水系の中性洗浄剤を提供することを目的とするものである。
【０００８】
【課題を解決するための手段】
本発明者らは、前記課題を解決するため鋭意検討した結果、アルカノールアミン、特定の非イオン界面活性剤、および脂肪族カルボン酸を組み合わせることにより前記問題が解決でき、特に、曇点以上の温度においても高い脱脂力と高い浸透性を維持することを見いだし、本発明を完成するに至った。
【０００９】
すなわち、本発明は、アルカノールアミンを１〜２０重量％、炭素数１０〜１４の直鎖型第２級アルコールのエチレンオキシド付加物であって、エチレンオキシドの平均付加モル数が５〜１０である非イオン界面活性剤を１０〜３０重量％、炭素数１０〜１４の直鎖型第２級アルコールのエチレンオキシドおよびプロピレンオキシド付加物であって、エチレンオキシドの平均付加モル数が５〜９で、プロピレンオキシドの平均付加モル数が４〜８である非イオン界面活性剤を１〜２０重量％、炭素数６〜１２の脂肪族カルボン酸を１〜２０重量％及び水を含み、かつｐＨが６〜８．５である洗浄剤である。
【００１０】
アルカノールアミンとしては、モノエタノールアミン、ジエタノールアミン、トリエタノールアミンおよびこれらのアルキル化物、シクロアルキル化物等のエタノールアミン類、モノプロパノールアミン、ジプロパノールアミン、トリプロパノールアミンおよびこれらのアルキル化物、シクロアルキル化物等のプロパノールアミン類、モノイソプロパノールアミン、ジイソプロパノールアミン、トリイソプロパノールアミンおよびこれらのアルキル化物、シクロアルキル化物等のイソプロパノールアミン類、エチレンジアミンのエチレンオキシド、プロピレンオキシド付加体等が挙げられる。アルカノールアミンの含有量が１重量％より少ないと洗浄力が低下し、２０重量％より多いと非鉄金属、特にアルミニウムに対する腐食性が出て好ましくない。
【００１１】
炭素数１０〜１４の直鎖型第２級アルコールのエチレンオキシド付加物であって、エチレンオキシドの平均付加モル数が５〜１０である非イオン界面活性剤（以下、界面活性剤Ａと言う。）は、その含有量が１０重量％より少ないと洗浄力が低下し、３０重量％より多いと、安定な液体になりにくくなり好ましくない。エチレンオキシドの平均付加モル数は、５〜１０が好ましく、６〜８がより好ましい。これが５より小さいと曇点以上の高温での浸透性が低下し、１０より大きいと脱脂性が低下し好ましくない。
【００１２】
炭素数１０〜１４の直鎖型第２級アルコールのエチレンオキシド及びプロピレンオキシド付加物であって、エチレンオキシドの平均付加モル数が５〜９で、プロピレンオキシドの平均付加モル数が４〜８である非イオン界面活性剤（以下、界面活性剤Ｂと言う。）は、その含有量が１〜２０重量％が好ましく、１重量％より少ないと泡立ちが多くなり、２０重量％より多いと、安定な液体状になりにくくなり好ましくない。
【００１３】
界面活性剤Ａ、界面活性剤Ｂの疎水基は、炭素数１０〜１４の直鎖型第２級アルコールの構造が好ましく、この構造以外では、曇点以上の温度において、脱脂力、浸透性が低下し好ましくない。
炭素数６〜１２の脂肪族カルボン酸は、本発明の洗浄剤を、０℃以下の低温から５０℃以上の高温まで幅広い温度範囲で安定な液体状として保つために必要な成分で、具体的には、ヘキサン酸、ヘプタン酸、オクタン酸、２−エチルヘキサン酸、ノナン酸、３，５，５−トリメチルヘキサン酸、デカン酸、ウンデカン酸、ドデカン酸等が挙げられる。炭素数が６より少ないと不快な臭気が強くなり、１２より大きいと泡立ちが大きくなり好ましくない。この配合量が１重量％より少ないと安定な液体状に保つことが困難になり、２０重量％より多いと脱脂力が低下するようになり好ましくない。
【００１４】
水は、アルカノールアミン、非イオン界面活性剤、脂肪族カルボン酸等、洗浄剤有効成分を均一な液体製品とするための溶媒として用いる。その量は、前記洗浄剤有効成分および、後述の公知の添加剤等の量と水の総量が１００重量％になるように決められる。
洗浄剤のｐＨは６〜８．５、好ましくは７〜８に調整される。６より低いと鉄に対する安定性が劣るようになり、８．５より高いとアルミに対する安定性が劣るようになり、また、皮膚に対する刺激が強くなり好ましくない。
【００１５】
本発明の洗浄剤を実際の洗浄工程に用いる場合は、水によりさらに希釈して用いる。その時の洗浄剤有効成分濃度は、通常０．０５〜１０重量％である。この洗浄剤有効成分濃度は、洗浄方法、洗浄物品、汚れ等の条件により適宜調整される。
なお、本発明では、その他の界面活性剤、公知の添加剤、たとえば、グルコン酸塩、エチレンジアミンテトラ酢酸塩、ニトリロトリ酢酸塩等のキレート剤、ベンゾトリアゾール、アミン類、亜硝酸塩等の腐食防止剤、脂肪油、シリコン油等の消泡剤、エチレングリコールモノアルキルエーテル、エチレングリコールモノフェニルエーテル、ジエチレングリコールモノアルキルエーテル、ジエチレングリコールモノフェニルエーテル、トリエチレングリコールモノアルキルエーテル、トリエチレングリコールモノフェニルエーテル、プロピレングリコールモノアルキルエーテル、プロピレングリコールモノフェニルエーテル、ジプロピレングリコールモノアルキルエーテル、ジプロピレングリコールモノフェニルエーテル、トリプロピレングリコールモノアルキルエーテル、トリプロピレングリコールモノフェニルエーテル等でアルキル基が炭素数１から８の直鎖、分枝、環状であるグリコールエーテル類、メタノール、エタノール、イソプロパノール、ｎ−プロパノール、ｎ−ブタノール、イソブタノール、ｔ−ブタノール、ｎ−アミルアルコール、イソアミルアルコール、ｓ−アミルアルコール、ｔ−アミルアルコール、ベンジルアルコール等のアルコール類、ピロリドン、Ｎ−メチルピロリドン等の溶剤を適宜配合して用いることも可能である。
【００１６】
【発明の実施の形態】
以下、実施例により本発明を説明する。
なお、本発明の評価は以下の方法により行った。
（１）脱脂力試験
３０メッシュのステンレス金網（６０ｍｍ×３０ｍｍ）に金属加工油（商品名ユニカットＧＨ３５、日本石油株式会社製）を含浸させ、１００℃で３０分加熱した。これを、表１の洗浄剤の５重量％水溶液で洗浄し、洗浄前後の付着油分量から下記式（１）で脱脂率を計算し、１，１，１−トリクロロエタンによる脱脂と比較評価した。
【００１７】
0003909880.tif 000002
（２）安定性試験
洗浄剤を−５℃、３０℃、６０℃に保ち、洗浄剤有効成分の分離、沈殿がないか観察した。
（３）浸透性試験
洗浄剤を水で１重量％に希釈した水溶液について、ＪＩＳ  Ｌ１０９６記載の方法で、１ｃｍ四方のキャンバス生地を浮かべ、これが沈降するまでの時間を測定した。
【００１８】
【実施例１〜５】
表１に示す洗浄剤を配合し、評価試験を行った。その結果を表２に示す。
【００１９】
【比較例１〜７】
表１に示す洗浄剤を配合し、評価試験を行った。その結果を表２に示す。
【００２０】
【表１】
0003909880.tif 000003
【００２１】
【表２】
0003909880.tif 000004
【００２２】
【発明の効果】
曇点以上の温度でも、塩素系溶剤に匹敵する脱脂力、高い浸透性を有する、安定な液体状の水系の中性洗浄剤が得られる。